(57)【特許請求の範囲】
【請求項１】
蛙孵化デバイスであって、
前記蛙孵化デバイスは、蛙産卵箱（１）と、産卵孵化用の複数枚の石板（２）と、蛙の
卵を孵化する孵化箱（３）と、蛙孵化済みの石板を洗浄する洗浄箱（４）と、孵化したオ
タマジャクシを養殖する養殖室（５）と、前記石板を産卵箱から孵化箱へ放置する第１の
拾い置き装置（６）と、前記石板を孵化箱から洗浄箱へ放置する第２の拾い置き装置（７
）とを含み、
前記産卵箱（１）は、箱体（１１）と、箱体内に設けられる隔離板溝（１２）と、前記
隔離板溝の一端に位置して水位を高めるための傾斜板（１３）と、前記傾斜板の下側且つ
前記隔離板溝に設けられる平板（１４）と、前記隔離板溝の他端に設けられる流水口（１
５）と、前記流水口の下方且つ前記隔離板溝に設けられる導流板（１６）と、前記箱体と
隔離板溝の間に設けられる一方向流量ユニット（１７）とを含み、
前記一方向流量ユニットは、前記隔離板溝内に水を満して複数枚の石板が隔離板溝内の
水面に位置する際に、前記箱体内の水が前記傾斜板から前記隔離板溝内へ流れ、前記流水
口から流出し、再び箱体内に流入するように動作して循環水を形成できるように構成され
ることにより、前記隔離板溝内の水流により複数枚の石板を移動させて、前記第１の拾い
置き装置により前記一端に位置する石板を拾取して前記孵化箱中に放置し、
前記石板（２）は、方形状とされる板体（２１）と、前記板体の上面に設ける粘着層（
２２）と、前記板体の四隅に設けられる回転輪（２３）と、前記板体の両側端に位置され
る弾性部材（２４）と、前記粘着層上に設置される第１の固定台（２５）と、前記第１の
固定台と平行に設置される第２の固定台（２６）と、前記第１の固定台に設けられる両第
１の錐形穴（２７）と、前記第１の固定台の両第１の錐形穴と同軸心に第２の固定台に設
けられる両第２の錐形穴（２８）とを含み、
前記第２の錐形穴は前記第１の錐形穴より寸法が大きく形成されており、
前記石板は箱体の内壁に接触すると前記回転輪が該内壁に接触するように構成されており
、
前記第１の拾い置き装置（６）は、昇降ブラケット（６１）と、前記昇降ブラケットに
設けられる固定板（６２）と、前記昇降ブラケットの下端に設けられる両摺動溝（６３）
と、前記摺動溝に設けられる移動台（６４）と、前記移動台に固定設置され前記第１の錐
形穴と第２の錐形穴を挿入させるための両錐形挿入ロッド（６５）と、該両錐形挿入ロッ
ドの間に位置され前記移動台を貫通するネジロッド（６６）と、前記固定板に固定設置さ
れ前記ネジロッドを回転駆動する第１のモータ（６７）とを含み、
前記第１の拾い置き装置（６）は、前記昇降ブラケットに連動して前記固定板が最下位
置に移動すると、前記第１のモータが起動して前記ネジロッドが回動し、前記移動台が前
記石板側に向けて移動し、前記両錐形挿入ロッドがそれぞれ前記第１の固定台の両第１の
錐形穴と前記第２の固定台の両第２の錐形穴内に挿入し、前記第１のモータが回動を停止
して、前記昇降ブラケットが最上位置に上昇すると、前記第１のモータが再び起動し、前
記移動台が連動して続けて前記孵化箱上方まで移動し、前記昇降ブラケットが所定の距離
にて下降し、前記箱体（１１）に流入する循環水の水流により、複数枚の石板（２）を移
動させて、前記第１のモータが反対方向に回動し、前記移動台が第１のモータ側に向けて
移動して、前記昇降ブラケットに連動して前記固定板全体が最下位置に下降するように動
作して一回の石板拾い置きを完成できるように構成されており、これにより、繰り返して
前記石板拾い置きを行うことにより、複数個の石板の拾い置きが可能であり、
前記洗浄箱（４）は、第１の回転ブラシ（４１）と、前記第１の回転ブラシ（４１）と
平行に設置される第２の回転ブラシ（４２）と、前記第１の回転ブラシ（４１）の一端に
設けられるピニオンギア（４３）と、前記第２の回転ブラシ（４２）の一端に設けられ前
記ピニオンギア（４３）に噛合される大ギヤ（４４）と、前記ピニオンギアを回転駆動す
る第２のモータ（４５）と、前記洗浄箱（４）の流水口に設けられる流延板（４６）と、
前記流延板（４６）の下方に位置し循環的に動作できる濾過網（４７）と、前記濾過網（
４７）の内側に設けられる複数個の噴気部品（４８）と、雑物を収集する收集箱（４９）
とを含み、前記洗浄箱（４）は、前記第２のモータ（４５）が起動し、ピニオンギア（４
３）が連動して回動し、前記ピニオンギア（４３）と大ギヤ（４４）が噛合し、前記大ギ
ヤ（４４）が連動して回動することにより、第１の回転ブラシ（４１）と第２の回転ブラ
シ（４２）が相対的に回動するように動作して構成されている、
ことを特徴とする蛙孵化デバイス。
【発明の詳細な説明】
【技術分野】
【０００１】
本発明は養殖の分野に係り、特に蛙孵化デバイス及びそれによる孵化方法に関する。
【背景技術】
【０００２】
蛙はｒａｎａ  ｓｐｉｎｏｓａとも言われ、中国南部地方の山岳地帯に特有な名物であ
る。清澄な泉水にくらし、ミミズ、エビ、カニ、スクミリンゴガイ、蛾、蚊などの昆虫を
食べるためなのか、この蛙は、体が大きくて多肉で、かつ柔らかくて美味しく、栄養が豊
富で食用、保健および薬用の価値があり、美味しさの面も栄養の面も最も好評される蛙の
種類だといえる。その肉は高蛋白質、ブドウ糖、アミノ酸、鉄、カルシウム、リンおよび
多種類のビタミンを含み、一方、脂肪とコレステロールの含有量が非常に低い。昔からも
高栄養性かつグリーンな宴会の食品であった。ところが、蛙の養殖業界では幾多の技術的
なボトルネックがあり、大規模な養殖ができなく、販売量も少なくて、市場の需要を満た
すことができず、一般の消費者は世の中のこの味を味わうことができない。従来の蛙養殖
は、特にそのオタマジャクシ孵化の技術は、孵化率が低く、オタマジャクシの成長率が小
さいという欠陥がある。
【０００３】
従来の蛙養殖方法は大体２種類がある。その一は繁殖蛙に直接卵を石に産ませ、産卵後
、人により石を孵化池に運んで孵化させる方法であって、時間がかかり、大量の労働力を
消耗するだけでなく、蛙卵に影響を与えることもある。その二は繁殖蛙に人造産卵溝の両
側壁やセメント製の溝床に卵を産ませ、産卵後、人によりスコップなどで卵を池の壁など
からすくい取って用意した孵化箱に集めて孵化する方法であって、人により蛙の卵を掬う
過程で卵が潰されやすく、正常の卵の損傷をも齎らし、孵化率に影響を与える。また、同
じく労働強度が高い。
【発明の概要】
【０００４】
本発明は、従来の技術における欠陥を克服するために、蛙孵化デバイス及びそれによる
孵化方法を提供する。
上記の目的を実現するために、本発明における蛙孵化デバイスによる孵化方法は、酸素
発生器で水に酸素を増加するとともに、水温を２０〜２２℃にコントロールする孵化前準
備工程と、前記石板を産卵箱内に放置して、各石板を水面に浮かべる石板放置工程と、１
〜２日経て蛙の卵が石板でたっぷりと集めると、すべての石板を前記孵化箱に移す石板拾
い置き工程と、前記孵化箱の水温を２２〜２８℃にコントロールして、１０〜１５日経て
当組の蛙卵の孵化が完成する孵化工程と、孵化したオタマジャクシを養殖室に放置して養
殖する養殖工程と、およびオタマジャクシ孵化済みの石板を前記洗浄箱中に入れて洗浄を
行い、石板を干して使用に備える孵化後処理工程とを含む。
【０００５】
前記蛙孵化デバイスは、蛙産卵箱と、産卵孵化用の複数枚の石板と、蛙の卵を孵化する
孵化箱と、蛙孵化済みの石板を清潔する洗浄箱と、孵化したオタマジャクシを養殖する養
殖室と、前記石板を産卵箱から孵化箱へ放置する第１の拾い置き装置と、前記石板を孵化
箱から洗浄箱へ放置する第２の拾い置き装置とを含み、前記産卵箱は、箱体と、箱体内に
設けられる隔離板溝と、前記隔離板溝の一端に位置して水位を高めるための傾斜板と、前
記傾斜板の下側且つ前記隔離板溝の裏側に設けられる平板と、前記隔離板溝の他端に設け
られる流水口と、前記流水口の下方且つ前記隔離板溝の裏側に設けられる導流板と、前記
箱体と隔離板溝の間に設けられる一方向流量ユニットとを含み、前記一方向流量ユニット
は、前記隔離板溝内に水を満して複数枚の石板が隔離板溝内の水面に位置する際に、前記
箱体内の水が前記傾斜板から前記隔離板溝内へ流れ、前記流水口から流出し、再び箱体内
に流入するように動作して循環水を形成できるように構成されることにより、前記隔離板
溝内の水流により複数枚の石板を移動させて、前記第１の拾い置き装置により前記一端に
位置する石板を拾取して前記孵化箱中に放置する。上記各部件の協働によって、本発明は
連続且つ安定的な孵化を実現する。蛙孵化の速度が遅く、人力消費が大きく、孵化率が低
いという従来における問題を解決する。隔離板溝により産卵箱を両チャンパーに仕切り、
さらに一方向流量ユニットにより両チャンパー内の水を流動させて交換させる。これによ
り、水質の活性を向上するとともに、複数個の石板を一方向に移動させて,、人力による
搬送を省略できる。一端に水位を高める傾斜板を設けることにより、水位を高めるととも
に、水の衝撃力を大きくして浮かんでいる石板を移動可能とさせる。また、平板を設ける
ことにより、流下した水を水の表面に沿って流動させて、これにより石板を容易に移動さ
せる。隔離板溝の他端に流水口を設けることにより、溢れる水を箱体内に進入させる。ま
た、さらに導流板を設けることにより、表面の水の流動を加速させることにより、石板の
移動を加速する。産卵、孵化および養殖を分けて行うことにより、蛙卵の存活率を向上す
る。また、各工程が同時に行われることにより、孵化の進度を加速する。洗浄箱を設けて
石板を自動的に洗浄することにより、石板の長期間使用による細菌の増加ないしは孵化へ
の悪影響を回避できる。  
【０００６】
前記石板は、方形状とされる板体と、前記板体の上面に設ける粘着層と、前記板体の四
隅に設けられる回転輪と、前記板体の両側端に位置される弾性部材と、前記粘着層上に設
置される第１の固定台と、前記第１の固定台と平行に設置される第２の固定台と、前記第
１の固定台に設けられる両第１の錐形穴と、前記第１の固定台の両第１の錐形穴と同軸心
に第２の固定台に設けられる両第２の錐形穴とを含み、前記第２の錐形穴は前記第１の錐
形穴より寸法が大きく形成されており、前記石板は箱体の内壁に接触すると前記回転輪が
該内壁に接触するように構成されている。弾性部材を設けることにより、隣り合う両石板
間の衝突ひいては石板の損害を回避するとともに、前方にある石板を助力することもでき
、前の石板の移動を加速させる。回転輪を設けることにより、石板と孵化箱の側壁との衝
突ひいては石板の損害を回避できる。回転可能な回転輪によって、石板と孵化箱の摩擦を
低減させるとともに、同一位置での長期間接触による損害も回避できる。
【０００７】
前記養殖工程は、水温を２０〜２４℃にコントロールして、蛙の幼子に成長したまで毎
日タンパク質粉および、配合成分は１１〜１４重量％のミミズの乾燥粉、５〜８重量％の
龍須草、５〜７重量％のチャイロコメノゴミムシダマシ（Ｔｅｎｅｂｒｉｏ  ｍｏｌｉｔ
ｏｒ）、２０〜２５重量％の緑豆粉である飼料を飼うことを含む。これにより、十分の養
分を提供し、オタマジャクシの成長周期を短縮させて、オタマジャクシの存活率を向上す
る。
【０００８】
前記第１の拾い置き装置は、昇降ブラケットと、前記昇降ブラケットに設けられる固定
板と、前記昇降ブラケットの下端に設けられる両摺動溝と、前記摺動溝に設けられる移動
台と、前記移動台に固定設置され前記第１の錐形穴と第２の錐形穴を挿入させるための両
錐形挿入ロッドと、該両錐形挿入ロッドの間に位置され前記移動台を貫通するネジロッド
と、前記固定板に固定設置され前記ネジロッドを回転駆動する第１のモータとを含み、前
記第１の拾い置き装置は、前記昇降ブラケットに連動して前記固定板が最下位置に移動す
ると、前記第１のモータが起動して前記ネジロッドが回動し、前記移動台が前記石板側に
向けて移動し、前記両錐形挿入ロッドがそれぞれ前記第１の固定台の両第１の錐形穴と前
記第２の固定台の両第２の錐形穴内に挿入し、前記第１のモータが回動を停止して、前記
昇降ブラケットが最上位置に上昇すると、前記第１のモータが再び起動し、前記移動台が
連動して続けて前記孵化箱上方まで移動し、前記昇降ブラケットが所定の距離にて下降し
、前記孵化箱の水面に位置する石板が孵化箱内の流水により離れて、前記第１のモータが
反対方向に回動し、前記移動台が第１のモータ側に向けて移動して、前記昇降ブラケット
に連動して前記固定板全体が最下位置に下降するように動作して一回の石板拾い置きを完
成できるように構成されており、これにより、繰り返して前記石板拾い置きを行うことに
より、複数個の石板の拾い置きが可能である。昇降板により固定板および前記固定板に設
けられる部品を上下に移動させることができ、石板を産卵箱から孵化箱まで移動可能とさ
せ、第１のモータに連動してネジロッドが回動して移動台の前後移動を可能とさせること
により、錐形挿入ロッドを第１の固定台の両第１の錐形穴および第２の固定台の両第２の
錐形穴に挿入することができ、前記第２の錐形穴の寸法が第１の錐形穴の寸法より大きく
されるので、錐形挿入ロッドの上昇過程で石板を傾斜状にさせ、石板と水との間に貼合力
が生じることを回避でき、石板をより容易に上昇させることができ、前記錐形挿入ロッド
、第１の錐形穴および第２の錐形穴は錐形状に形成されるので、錐形挿入ロッドをより容
易に第１の固定台と第２の固定台に挿入させるできるとともに、石板を放置する過程では
より容易に単に水の流動で石板を孵化箱内に放置することが可能となる。
【０００９】
前記洗浄箱は、前記産卵箱と同じ構成に加えて、第１の回転ブラシと、前記第１の回転
ブラシと平行に設置される第２の回転ブラシと、前記第１の回転ブラシの一端に設けられ
るピニオンギアと、前記第２の回転ブラシの一端に設けられ前記ピニオンギアに噛合され
る大ギヤと、前記ピニオンギアを回転駆動する第２のモータと、前記洗浄箱の流水口に設
けられる流延板と、前記流延板の下方に位置し循環的に動作できる濾過網と、前記濾過網
の内側に設けられる複数個の噴気部品と、雑物を収集する收集箱とをさらに含み、前記洗
浄箱は、前記第２のモータが起動し、ピニオンギアが連動して回動し、前記ピニオンギア
と大ギヤが噛合し、前記大ギヤが連動して回動することにより、第１の回転ブラシと第２
の回転ブラシが相対的に回動するように動作して構成されており、前記濾過網は前記流延
板から流下する水を濾過するように動作して構成されており、前記噴気部品は前記濾過網
を清潔し、濾過網における雑物を收集箱中に吹き出すように構成されている。前記第１の
回転ブラシにより石板の底部を洗浄すると同時に、石板の移動を加速することもできる。
それぞれ前記第１の回転ブラシの一端にピニオンギアを、第２の回転ブラシの一端に大ギ
ヤを設けて、前記ピニオンギアと大ギヤを噛合させることにより、第２の回転ブラシと第
１の回転ブラシが相対的に回動されるようになり、この場合、第２の回転ブラシは反対方
向に作用するようになるので、よりきれいに清潔を実施できるとともに、洗浄過程で石板
を移動することによる不都合を回避することもできる。前記第２のモータに連動してピニ
オンギアが回動することにより、人力消費をより小さくさせ、間接的に第２の回転ブラシ
の反対方向力を減少するとともに、第１の回転ブラシの回転数が第２の回転ブラシの回転
数より大きくされるので、石板を移動させて洗浄を行うことができる。
【００１０】
本発明は、以下の利点がある。
すなわち、速度が遅く、人力消費が大きく、孵化率が低いなどの従来の蛙孵化における
問題を解決できる連続かつ安定的な蛙孵化デバイス及びそれによる孵化方法を提供する。
【図面の簡単な説明】
【００１１】
【図１】本発明の構成模式図。
【図２】本発明の側面模式図。
【図３】本発明にかかる第１の拾い置き装置の一部模式図。
【図４】本発明の一部模式図。
【図５】同図４のＡにおける拡大図。
【図６】同図４のＢにおける拡大図。
【図７】同図４のＣにおける拡大図。
【図８】本発明の正面模式図。
【図９】本発明にかかる石板の構成模式図。
【発明を実施するための形態】
【００１２】
本発明の最も重要な特徴を、以下の詳細な説明をより適当に理解できるよう、かつ、当
分野における本発明の貢献がより理解されるよう、概略というよりは要点を述べた。本発
明のその他の特徴は、関連図面ならびに特許請求の範囲とともに以下の本発明の詳細な説
明から、あるいは本発明を実施することにより明らかになるであろう。下記における実施
例は、単に本発明を実施する一部の実施例であり、すべての実施例と理解してはならない
。本発明における実施例に基づいて当業者が創造的な労働を費やさず得られるすべての他
の実施例は、本発明の保護を求める範囲に属すべきである。
【００１３】
本発明にかかる蛙孵化デバイスによる孵化方法は、酸素発生器で水に酸素を増加すると
ともに、水温を２０〜２２℃にコントロールする孵化前準備工程と、前記石板を産卵箱内
に放置して、各石板を水面に浮かべる石板放置工程と、１〜２日経て蛙の卵が石板でたっ
ぷりと集めると、すべての石板を前記孵化箱に移す石板拾い置き工程と、前記孵化箱の水
温を２２〜２８℃にコントロールして、１０〜１５日経て当組の蛙卵の孵化が完成する孵
化工程と、孵化したオタマジャクシを養殖室に放置して養殖する養殖工程と、およびオタ
マジャクシ孵化済みの石板を前記洗浄箱中に入れて洗浄を行い、石板を干して使用に備え
る孵化後処理工程とを含む。
【００１４】
図１から９に示されるように、前記蛙孵化デバイスは、蛙産卵箱１と、産卵孵化用の複
数枚の石板２と、蛙の卵を孵化する孵化箱３と、蛙孵化済みの石板を清潔する洗浄箱４と
、孵化したオタマジャクシを養殖する養殖室５と、前記石板を産卵箱から孵化箱へ放置す
る第１の拾い置き装置６と、前記石板を孵化箱から洗浄箱へ放置する第２の拾い置き装置
７とを含み、前記産卵箱１は、箱体１１と、箱体内に設けられる隔離板溝１２と、前記隔
離板溝の一端に位置して水位を高めるための傾斜板１３と、前記傾斜板の下側且つ前記隔
離板溝の裏側に設けられる平板１４と、前記隔離板溝の他端に設けられる流水口１５と、
前記流水口の下方且つ前記隔離板溝の裏側に設けられる導流板１６と、前記箱体と隔離板
溝の間に設けられる一方向流量ユニット１７とを含み、前記一方向流量ユニットは、前記
隔離板溝内に水を満して複数枚の石板が隔離板溝内の水面に位置する際に、前記箱体内の
水が前記傾斜板から前記隔離板溝内へ流れ、前記流水口から流出し、再び箱体内に流入す
るように動作して循環水を形成できるように構成されることにより、前記隔離板溝内の水
流により複数枚の石板を移動させて、前記第１の拾い置き装置により前記一端に位置する
石板を拾取して前記孵化箱中に放置する。
【００１５】
前記石板２は、方形状とされる板体２１と、前記板体の上面に設ける粘着層２２と、前
記板体の四隅に設けられる回転輪２３と、前記板体の両側端に位置される弾性部材２４と
、前記粘着層上に設置される第１の固定台２５と、前記第１の固定台と平行に設置される
第２の固定台２６と、前記第１の固定台に設けられる両第１の錐形穴２７と、前記第１の
固定台の両第１の錐形穴と同軸心に第２の固定台に設けられる両第２の錐形穴２８とを含
み、前記第２の錐形穴は前記第１の錐形穴より寸法が大きく形成されており、前記石板は
箱体の内壁に接触すると前記回転輪が該内壁に接触するように構成されている。
【００１６】
前記第１の拾い置き装置と前記第２の拾い置き装置は同じ構成とされる。前記第１の拾
い置き装置６は、昇降ブラケット６１と、前記昇降ブラケットに設けられる固定板６２と
、前記昇降ブラケットの下端に設けられる両摺動溝６３と、前記摺動溝に設けられる移動
台６４と、前記移動台に固定設置され前記第１の錐形穴と第２の錐形穴を挿入させるため
の両錐形挿入ロッド６５と、該両錐形挿入ロッドの間に位置され前記移動台を貫通するネ
ジロッド６６と、前記固定板に固定設置され前記ネジロッドを回転駆動する第１のモータ
６７とを含み、前記第１の拾い置き装置６は、前記昇降ブラケットに連動して前記固定板
が最下位置に移動すると、前記第１のモータが起動して前記ネジロッドが回動し、前記移
動台が前記石板側に向けて移動し、前記両錐形挿入ロッドがそれぞれ前記第１の固定台の
両第１の錐形穴と前記第２の固定台の両第２の錐形穴内に挿入し、前記第１のモータが回
動を停止して、前記昇降ブラケットが最上位置に上昇すると、前記第１のモータが再び起
動し、前記移動台が連動して続けて前記孵化箱上方まで移動し、前記昇降ブラケットが所
定の距離にて下降し、前記孵化箱の水面に位置する石板が孵化箱内の流水により離れて、
前記第１のモータが反対方向に回動し、前記移動台が第１のモータ側に向けて移動して、
前記昇降ブラケットに連動して前記固定板全体が最下位置に下降するように動作して一回
の石板拾い置きを完成できるように構成されており、これにより、繰り返して前記石板拾
い置きを行うことにより、複数個の石板の拾い置きが実現される。
【００１７】
前記洗浄箱４は、前記産卵箱と同じ構成に加えて、第１の回転ブラシ４１と、前記第１
の回転ブラシと平行に設置される第２の回転ブラシ４２と、前記第１の回転ブラシの一端
に設けられるピニオンギア４３と、前記第２の回転ブラシの一端に設けられ前記ピニオン
ギアに噛合される大ギヤ４４と、前記ピニオンギアを回転駆動する第２のモータ４５と、
前記洗浄箱の流水口に設けられる流延板４６と、前記流延板の下方に位置し循環的に動作
できる濾過網４７と、前記濾過網の内側に設けられる複数個の噴気部品４８と、雑物を収
集する收集箱４９とをさらに含み、前記洗浄箱４は、前記第２のモータが起動し、ピニオ
ンギアが連動して回動し、前記ピニオンギアと大ギヤが噛合し、前記大ギヤが連動して回
動することにより、第１の回転ブラシと第２の回転ブラシが相対的に回動するように動作
して構成されており、前記濾過網は前記流延板から流下する水を濾過するように動作して
構成されており、前記噴気部品は前記濾過網を清潔し、濾過網における雑物を收集箱中に
吹き出すように構成されている。
【００１８】
なお、上記の第１のモータおよび第２のモータは市販されるものとされる。
【要約】      （修正有）【課題】速度が遅く、人力消費が大きく、孵化率が低いなどの従来のツバキ孵化における問題を解決できる連続かつ安定的なツバキ孵化デバイス及びそれによる孵化方法を提供する。【解決手段】酸素発生器で水に酸素を増加するとともに、水温を２０〜２２℃にコントロールする孵化前準備工程と、石板を産卵箱内に放置して、各石板を水面に浮かべる石板放置工程と、１〜２日経てツバキの卵が石板でたっぷりと集めると、すべての石板を孵化箱に移す石板拾い置き工程と、孵化箱の水温を２２〜２８℃にコントロールして、１０〜１５日経て当組のツバキ卵の孵化が完成する孵化工程と、孵化したオタマジャクシを養殖室に放置して養殖する養殖工程と、およびオタマジャクシ孵化済みの石板を洗浄箱中に入れて洗浄を行い、石板を干して使用に備える孵化後処理工程とを含む。【選択図】図１【図１】
0006736806.tif 000002
【図２】
0006736806.tif 000003
【図３】
0006736806.tif 000004
【図４】
0006736806.tif 000005
【図５】
0006736806.tif 000006
【図６】
0006736806.tif 000007
【図７】
0006736806.tif 000008
【図８】
0006736806.tif 000009
【図９】
0006736806.tif 000010